(57)【要約】【課題】  簡易かつ安価なグレー基準板を用いて、複数の基準濃度からなるグレー基準板を光学的に読み取った場合に相当するイメージセンサからの出力電気信号を得ることができるようにする。【解決手段】  イメージセンサに一定濃度からなるグレー基準板を読み取らせ、このグレー基準板からの反射光量がイメージセンサに入力する光量を複数段階に変更することによって、複数の基準濃度からなるグレー基準板からの反射光が入光した場合と同様の電気信号をイメージセンサに出力させる。【選択図】        図２
2005094165.tif 000002
【特許請求の範囲】
【請求項１】
画像を光学的に読み取って電気信号に変換するイメージセンサと、前記イメージセンサから出力される電気信号を処理する出力信号処理回路と、前記出力信号処理回路を駆動するためのタイミング信号を発生させるタイミング信号発生回路と、前記タイミング信号発生回路が発生させるタイミング信号の位相を調整するタイミング信号位相調整手段とを備える画像読取装置であって、
前記イメージセンサによって一定濃度からなるグレー基準板を読み取る際に、このイメージセンサに当該グレー基準板からの反射光が入光する量を複数段階に変更する入光量制御手段と、
前記イメージセンサから出力されるべき電気信号の理想値を複数段階のグレー濃度毎に記憶する理想値記憶手段とを備え、
前記タイミング信号位相調整手段は、前記入光量制御手段によって変更された各段階における前記イメージセンサの出力電気信号の値と、これら各段階に対応して前記理想値記憶手段に記憶されているグレー濃度段階における前記イメージセンサの出力電気信号の理想値とを比較して、両方の値が近似するサンプリングポイントを判別し、このサンプリングポイントで前記出力信号処理回路が駆動されるように、前記タイミング信号発生回路が発生させるタイミング信号の位相を調整することを特徴とする画像読取装置。
【請求項２】
前記グレー基準板は、前記イメージセンサに対向する位置に配設されているシェーディング補正用の白基準板に隣接させて常設されていることを特徴とする請求項１に記載の画像読取装置。
【請求項３】
前記入光量制御手段は、前記イメージセンサへの前記グレー基準板からの反射光の蓄積時間を複数段階に変更することによって、前記グレー基準板からの反射光の入光量を複数段階に変更することを特徴とする請求項１又は請求項２に記載の画像読取装置。
【請求項４】
前記入光量制御手段は、前記イメージセンサによる読み取り対象を照射する光源の照明光量を変更することによって、前記グレー基準板からの反射光の入光量を複数段階に変更することを特徴とする請求項１又は請求項２に記載の画像読取装置。
【請求項５】
前記入光量制御手段は、前記イメージセンサに入光される前記グレー基準板からの反射光を集光する集光レンズと前記イメージセンサとの間に配設されている遮光板の位置を変更することによって、前記グレー基準板からの反射光の入光量を複数段階に変更することを特徴とする請求項１又は請求項２に記載の画像読取装置。
【請求項６】
前記入光量制御手段は、前記イメージセンサの光源近傍に配設されているリフレクタの位置を変更することによって、前記グレー基準板からの反射光の入光量を複数段階に変更することを特徴とする請求項１又は請求項２に記載の画像読取装置。
【請求項７】
複数の基準濃度からなるグレー基準板を光学的に読み取った場合に相当するイメージセンサからの出力電気信号の値と、予め保有している複数の基準濃度毎のイメージセンサから出力されるべき電気信号の理想値とを比較して、両方の値が近似する最適なサンプリングポイントを判別する画像読取方法であって、
前記イメージセンサに一定濃度からなるグレー基準板を読み取らせ、このグレー基準板からの反射光量が前記イメージセンサに入力する光量を複数段階に変更することによって、複数の基準濃度からなるグレー基準板からの反射光が入光した場合と同様の電気信号を前記イメージセンサに出力させることを特徴とする画像読取方法。
【請求項８】
前記イメージセンサへの前記グレー基準板からの反射光の蓄積時間を複数段階に変更することによって、前記グレー基準板からの反射光の入光量を複数段階に変更することを特徴とする請求項７に記載の画像読取方法。
【請求項９】
前記イメージセンサによる読み取り対象を照射する光源の照明光量を変更することによって、前記グレー基準板からの反射光の入光量を複数段階に変更することを特徴とする請求項７に記載の画像読取方法。
【請求項１０】
前記イメージセンサに入光される前記グレー基準板からの反射光を集光する集光レンズと前記イメージセンサとの間に配設されている遮光板の位置を変更することによって、前記グレー基準板からの反射光の入光量を複数段階に変更することを特徴とする請求項７に記載の画像読取方法。
【請求項１１】
前記イメージセンサの光源近傍に配設されているリフレクタの位置を変更することによって、前記グレー基準板からの反射光の入光量を複数段階に変更することを特徴とする請求項７に記載の画像読取方法。
【発明の詳細な説明】
【技術分野】
【０００１】
本発明は、コピー機やファクシミリ等の画像形成装置に備えられる画像読取装置及び画像読取方法に関する。
【背景技術】
【０００２】
従来、コピー機やプリンタ等の画像形成装置に備えられる画像読取装置による画像読み取り時の階調を向上させるために、特許文献１に示すように、基準となる複数階調からなるグレー基準板をサンプリングポイントを変えながら読み取り、階調性が最適となるサンプリングポイントを設定するようにした画像読取装置が提案されている。
【特許文献１】特開平１０−３３６４５２号公報
【発明の開示】
【発明が解決しようとする課題】
【０００３】
しかしながら、特許文献１に示される画像読み取り装置では、複数の階調からなるグレー基準板（特許文献１の図３）を用意しなければならず、このグレー基準板原稿が高価であると共に、ユーザが当該グレー基準板原稿を管理する手間も生じるために面倒である。
【０００４】
本発明は、上述した問題点を解決するためになされたものであり、簡易かつ安価なグレー基準板を用いて、複数の基準濃度からなるグレー基準板を光学的に読み取った場合に相当するイメージセンサからの出力電気信号を得ることができる画像読取装置及び画像読取方法を提供することを目的とする。
【課題を解決するための手段】
【０００５】
上記目的を達成するために請求項１に記載の発明は、画像を光学的に読み取って電気信号に変換するイメージセンサと、前記イメージセンサから出力される電気信号を処理する出力信号処理回路と、前記出力信号処理回路を駆動するためのタイミング信号を発生させるタイミング信号発生回路と、前記タイミング信号発生回路が発生させるタイミング信号の位相を調整するタイミング信号位相調整手段とを備える画像読取装置であって、
前記イメージセンサによって一定濃度からなるグレー基準板を読み取る際に、このイメージセンサに当該グレー基準板からの反射光が入光する量を複数段階に変更する入光量制御手段と、
前記イメージセンサから出力されるべき電気信号の理想値を複数段階のグレー濃度毎に記憶する理想値記憶手段とを備え、
前記タイミング信号位相調整手段は、前記入光量制御手段によって変更された各段階における前記イメージセンサの出力電気信号の値と、これら各段階に対応して前記理想値記憶手段に記憶されているグレー濃度段階における前記イメージセンサの出力電気信号の理想値とを比較して、両方の値が近似するサンプリングポイントを判別し、このサンプリングポイントで前記出力信号処理回路が駆動されるように、前記タイミング信号発生回路が発生させるタイミング信号の位相を調整するものである。
【０００６】
この構成では、イメージセンサによって一定濃度からなるグレー基準板を読み取る際に、入光量制御手段が、イメージセンサにグレー基準板からの反射光が入光する量を複数段階に可変させることによって、複数の基準濃度からなるグレー基準板を光学的に読み取った場合に相当するイメージセンサからの出力電気信号を得る。そして、このようにして得られた各段階におけるイメージセンサの出力電気信号の値と、これら各段階に対応して理想値記憶手段に記憶されているグレー濃度段階におけるイメージセンサの出力電気信号の理想値とをタイミング信号位相調整手段が比較して、両方の値が近似するサンプリングポイントを判別し、このサンプリングポイントで出力信号処理回路が駆動されるように、タイミング信号発生回路が発生させるタイミング信号の位相を調整する。
【０００７】
また、請求項７に記載の発明は、複数の基準濃度からなるグレー基準板を光学的に読み取った場合に相当するイメージセンサからの出力電気信号の値と、予め保有している複数の基準濃度毎のイメージセンサから出力されるべき電気信号の理想値とを比較して、両方の値が近似する最適なサンプリングポイントを判別する画像読取方法であって、
前記イメージセンサに一定濃度からなるグレー基準板を読み取らせ、このグレー基準板からの反射光量が前記イメージセンサに入力する光量を複数段階に変更することによって、複数の基準濃度からなるグレー基準板からの反射光が入光した場合と同様の電気信号を前記イメージセンサに出力させるものである。
【０００８】
この構成では、イメージセンサに一定濃度からなるグレー基準板を読み取らせ、このグレー基準板からの反射光量が前記イメージセンサに入力する光量を複数段階に変更することによって、複数の基準濃度からなるグレー基準板からの反射光が入光した場合と同様の電気信号を前記イメージセンサに出力させることによって、複数の基準濃度からなるグレー基準板を光学的に読み取った場合に相当するイメージセンサからの出力電気信号を得る。
【０００９】
また、請求項２に記載の発明は、請求項１に記載の画像読取装置であって、前記グレー基準板は、前記イメージセンサに対向する位置に配設されているシェーディング補正用の白基準板に隣接させて常設されているものである。
【００１０】
この構成によれば、白基準板及びグレー基準板が常設されているので、イメージセンサの駆動制御によって自動的に白基準板及びグレー基準板を読み込むことが可能になる。
【００１１】
また、請求項３に記載の発明は、請求項１又は請求項２に記載の画像読取装置であって、前記入光量制御手段は、前記イメージセンサへの前記グレー基準板からの反射光の蓄積時間を複数段階に変更することによって、前記グレー基準板からの反射光の入光量を複数段階に変更するものである。
【００１２】
また、請求項８に記載の発明は、請求項７に記載の画像読取方法であって、前記イメージセンサへの前記グレー基準板からの反射光の蓄積時間を複数段階に変更することによって、前記グレー基準板からの反射光の入光量を複数段階に変更するものである。
【００１３】
これらの構成では、グレー基準板からの反射光の入光量を複数段階に変更するために、イメージセンサへの前記グレー基準板からの反射光の蓄積時間を複数段階に変更するようにしている。
【００１４】
また、請求項４に記載の発明は、請求項１又は請求項２に記載の画像読取装置であって、前記入光量制御手段は、前記イメージセンサによる読み取り対象を照射する光源の照明光量を変更することによって、前記グレー基準板からの反射光の入光量を複数段階に変更するものである。
【００１５】
また、請求項９に記載の発明は、請求項７に記載の画像読取方法であって、前記イメージセンサによる読み取り対象を照射する光源の照明光量を変更することによって、前記グレー基準板からの反射光の入光量を複数段階に変更するものである。
【００１６】
これらの構成によれば、グレー基準板からの反射光の入光量を複数段階に変更するために、イメージセンサによる読み取り対象を照射する光源の照明光量を変更するようにしている。
【００１７】
また、請求項５に記載の発明は、請求項１又は請求項２に記載の画像読取装置であって、前記入光量制御手段は、前記イメージセンサに入光される前記グレー基準板からの反射光を集光する集光レンズと前記イメージセンサとの間に配設されている遮光板の位置を変更することによって、前記グレー基準板からの反射光の入光量を複数段階に変更するものである。
【００１８】
また、請求項６に記載の発明は、請求項１又は請求項２に記載の画像読取装置であって、前記入光量制御手段は、前記イメージセンサの光源近傍に配設されているリフレクタの位置を変更することによって、前記グレー基準板からの反射光の入光量を複数段階に変更するものである。
【００１９】
また、請求項１０に記載の発明は、請求項７に記載の画像読取方法であって、前記イメージセンサに入光される前記グレー基準板からの反射光を集光する集光レンズと前記イメージセンサとの間に配設されている遮光板の位置を変更することによって、前記グレー基準板からの反射光の入光量を複数段階に変更するものである。
【００２０】
また、請求項１１に記載の発明は、請求項７に記載の画像読取方法であって、前記イメージセンサの光源近傍に配設されているリフレクタの位置を変更することによって、前記グレー基準板からの反射光の入光量を複数段階に変更するものである。
【００２１】
これらの構成では、前記グレー基準板からの反射光の入光量を複数段階に変更するために、イメージセンサの光源近傍に配設されているリフレクタの位置を変更するようにしている。
【発明の効果】
【００２２】
以上のように請求項１に記載の発明によれば、複数の基準濃度パターンを有する高価なグレー基準板を用いずに、一定濃度からなる簡易かつ安価なグレー基準板を用いて、イメージセンサで反射光を受光しても、複数の基準濃度パターンを有する高価なグレー基準板を光学的に読み取った場合に相当するイメージセンサからの出力電気信号が得られ、複数の基準濃度パターンを有する高価なグレー基準板を用いて階調調整を行った場合と同等の正確な階調調整を行うことができる。
【００２３】
また、請求項２に記載の発明によれば、白基準板及びグレー基準板が常設されているので、イメージセンサの駆動制御によって自動的に白基準板及びグレー基準板を読み込むことが可能になるため、ユーザ又はメンテナンス作業者等がグレースケールを原稿読取面にセットする手作業を行う必要がなく、階調調整作業を簡単に行うことができる。
【００２４】
また、請求項３及び請求項８に記載の発明によれば、例えば、イメージセンサのライン周期を切り替えること等によって、簡単な制御でもって、イメージセンサへのグレー基準板からの反射光の蓄積時間を複数段階に変更することができる。
【００２５】
また、請求項４及び請求項９に記載の発明によれば、例えば、イメージセンサの読み取り対象照射用の光源の駆動回路に印加する電圧を制御すること等によって、簡単な制御でもって、イメージセンサへのグレー基準板からの反射光の入光量を複数段階に変更することができる。
【００２６】
また、請求項５、請求項６、請求項１０及び請求項１１に記載の発明によれば、従来から画像読取装置に備えられている遮光板又はリフレクタの駆動機構を制御する等の簡単な制御でもって、イメージセンサへのグレー基準板からの反射光の入光量を複数段階に変更することができる。
【００２７】
また、請求項７に記載の発明によれば、複数の基準濃度パターンを有する高価なグレー基準板を用いずに、一定濃度からなる簡易かつ安価なグレー基準板を用いて、イメージセンサで反射光を受光しても、複数の基準濃度パターンを有する高価なグレー基準板を光学的に読み取った場合に相当するイメージセンサからの出力電気信号が得られる。
【発明を実施するための最良の形態】
【００２８】
以下、本発明の実施の形態を添付図面を参照しながら説明する。図１は本発明の実施の形態を示す画像読み取り装置のブロック図である。画像読取装置１は、ＣＣＤ２、ＡＦＥ（アナログ・フロントエンド）回路３、Ａ／Ｄ変換回路４、シェーディング補正回路５、画像処理回路６、タイミング発生回路７、位相調整回路８及び制御部１０を備えている。
【００２９】
ＣＣＤ２は、原稿照射光源１４からの反射光を受光して光電変換し、受光量（原稿反射光量）に応じた電気信号をＲ，Ｇ，Ｂの各々それぞれＯＤＤ、ＥＶＥＮ毎に出力する。
【００３０】
また、ＣＣＤ２に対向する位置には、読み取り対象となる原稿が載置されるコンタクトガラスが設けられており、このコンタクトガラスには、シェーディング補正に用いる白基準板が、原稿に隣接する位置（ＣＣＤ２による原稿読み取りに支障を生じない位置）に設けられている。そして、この白基準板に隣接させて、一定濃度のみからなるグレー基準板が設けられている（図３）。このグレー基準板のグレー濃度は、階調のリニアリティが重視されるMAX濃度（例えば、マンセル値N5.0）とされている。これら白基準板及び一定濃度のグレー基準板は、グレースケールとして、後述する階調調整時に使用される。よって、グレースケールは、白基準板及び一定濃度のグレー基準板の２色のみからなる。
【００３１】
ＡＦＥ回路３は、サンプルホールド回路３１、合成回路３２及び増幅回路３３からなる。サンプルホールド回路３１は、ＣＣＤ２から出力される電気信号を、サンプルクロックに同期してサンプルホールドする。合成回路３２はＯＤＤ信号及びＥＶＥＮ信号を合成する。増幅回路３３は、合成回路３２によって合成された信号を、Ａ／Ｄ変換回路４によるＡ／Ｄ変換に適切なレベルまで増幅する。なお、合成回路は画像処理回路内に設けても良い。
【００３２】
Ａ／Ｄ変換回路４は、Ａ／Ｄクロックに同期して、ＡＦＥ回路３から送られてきた各色のアナログ信号をデジタル信号に変換する。シェーディング補正回路５は、Ａ／Ｄ変換回路４によってデジタル信号に変換された画像データを、予め用意された原稿照射光源の配向特性及びＣＣＤ画素感度バラツキ等の基準補正データに基づいてシェーディング補正を実行する。
【００３３】
画像処理回路６は、ＭＴＦ（モジュレータトランスファファンクション）補正、エッジ強調、変倍、２値化等の必要な画像処理を行なう。画像処理回路６によって画像処理された画像データはプリンタ部又はメモリ部に出力される。
【００３４】
制御部１０は、画像読取装置１全体の動作制御を司るものであり、撮像制御部１０１，モータ制御部１０２，照明光量制御部１０３及びシステムコントローラ１０４を備えている。
【００３５】
撮像制御部１０１は、ＣＣＤ２、ＡＦＥ回路３、Ａ／Ｄ変換回路４及びシェーディング補正回路５等の撮像系を動作制御する。さらに、撮像制御部１０１は、階調調整時はサンプルクロックの位相を調整しながら、シェーディング補正回路５によってシェーディング補正された後の画像データ（ＣＣＤ２による読み取り値）と、理想値記憶部１０５に予め保有されている理想値（詳細は後述）とを比較して、読み取り値が理想値に近くなるサンプリングポイントを決定し、このサンプリングポイントでサンプリングが行われるように、タイミング信号の位相を最適化させる指示を位相調整回路８及びタイミング信号生成回路７に送出する。
【００３６】
モータ制御部１０２は、遮光板１１又は図略のリフレクタを駆動するモータ１２を動作制御するものである。遮光板１１は、グレー基準板からの反射光を集光する集光レンズ１３とＣＣＤ２との間に配設されている。リフレクタは原稿照射ランプ１４の近傍に配設されている。このモータ制御部１０２によるモータ１２の制御により、遮光板１１又はリフレクタの位置が変更され、グレー基準板からの反射光のＣＣＤ２への入光量が複数段階に変更するようになっている。
【００３７】
照明光量制御部１０３は、ＣＣＤ２の読み取り対象となる原稿やグレー基準板を照射する原稿照射ランプ１４のオン／オフ及び照明光量を制御するものである。原稿照射ランプ１４はインバータ回路１５によって制御され、原稿等読み取り時における原稿照射ランプ１４の照明光量の変更は、Ｄ／Ａ変換回路１６を介して、制御部１０の照明光量制御部１０３によりインバータ回路１５を制御することによって行われる。システムコントローラ１０４は、ＣＰＵ制御用ソフトに従って制御部１０に所望の動作をさせるものである。
【００３８】
タイミング発生回路７は、ＡＦＥ回路３に入力するサンプルクロック信号、Ａ／Ｄ変換回路４に入力するＡ／Ｄクロック信号等、撮像系による一連の動作のタイミング制御に必要なタイミング信号を生成するものであり、各処理に最適なタイミングを得られるように構成されたロジック回路の集合体からなる。このタイミング発生回路７によるタイミング信号の生成及び出力は、制御部１０の撮像制御部１０１・位相調整回路８からの指示によって制御される。位相調整回路８は、並設された複数のゲート回路又は各定数を可変としたＲＣＬ回路等によって遅延量が設定されるようになっており、制御部１０からの指示に基づいて制御される。
【００３９】
また、画像読取装置１では、タイミング発生回路７によりＣＣＤ２のライン周期を切替えることによって、グレー基準板からの反射光がＣＣＤ２に蓄積される時間を複数段階に変更するようになっている。
【００４０】
このように、タイミング発生回路７によるＣＣＤ２のライン周期の切り替え、モータ制御部１０２による遮光板１１又はリフレクタの位置制御、照明光量制御部１０３による原稿照射ランプ１４の照明光量制御によって、ＣＣＤ２への反射光の入光量を複数段階に変更することにより、一定濃度からなるグレー基準板を読み取った場合であっても、擬似的に複数濃度からなるグレー基準板を各濃度毎に読み取った場合と同様の読み取り値が得られるようになっている。
【００４１】
次に、本発明に係る画像読取装置１において、階調性が最適となるようにサンプリングポイントを設定する処理について説明する。図２は当該サンプリングポイント設定処理の流れを示すフローチャート、図３は当該サンプリングポイント設定処理に用いるグレー基準板を示す図、図４はグレースケール読み取り時におけるＣＣＤ２からの１画素の出力の経時変化を示した図、図５はグレースケール反射率とＣＣＤ２の出力との関係について理想値と実際の読み取り特性とを比較した図である。なお、図３はグレー基準板を網点で表現しているが、一定濃度からなる１色のグレー基準板を意図するものである。
【００４２】
まず、ＣＣＤ２に対向する位置に設けられているグレースケール（図３）が画像読み取り装置１の原稿読み取りガラス面等にセットされた状態で原稿照射ランプ１４が照射され（Ｓ１）、上記２色のグレースケールからの反射光がＣＣＤ２によって読み取られる（Ｓ２）。この白基準板を読み取る際には、反射光蓄積時間は予め定められている標準蓄積時間とされるが、タイミング発生回路７によるＣＣＤ２のライン周期の切り替えにより、グレー基準板からの反射光をＣＣＤ２で蓄積する時間は複数段階に変更される。そして、これら各段階（各蓄積時間）毎のＣＣＤ２による読み取り値が各色毎にメモリに記憶される（Ｓ３）。すなわち、グレー基準板からの反射光がＣＣＤ２で蓄積する時間を変更することによって、グレー基準板からの反射光がＣＣＤ２で受光される量を変更し、濃度の異なる複数のグレー基準からなるグレー基準板を各濃度毎に読み取った場合に得られる各データと同様のデータが得られるようにする。
【００４３】
図４に示すように、ＣＣＤ２の出力値が示す１画素の波形は、リセット期間、フィードスルー期間、画像出力期間の各期間で異なる形状を描く。画像出力期間における波形は、ＣＣＤ２に入力するグレースケールからの反射光の量に応じて変化する。例えば、グレー基準板を読み取った場合は、ＣＣＤ２の受光量蓄積時間が長くなり、ＣＣＤ２への入光量が多くなるのに応じて、ＣＣＤ２からの出力値は波形Ａ→波形Ｂ→波形Ｃのように変化し、白基準板からの反射光を受光した場合におけるＣＣＤ２の出力値は波形Ｄを描く。
【００４４】
ＣＣＤ２から出力される値のサンプリングは画像出力期間内に行われる。サンプリング実行を指示するサンプルクロック信号は、画像出力期間において、例えば３０ｎ秒間Highとなってサンプリングを行わせ、立ち下がりでホールドするようにする。また、サンプリングは、例えば、図４に示すような画像出力期間内における１〜６のポイントで可能となるように設定される。そして、タイミング信号の位相調整は、図４に示す１〜６のタイミングで調整できるように設定される。なお、これらサンプリングポイント及びタイミング信号位相調整範囲は、求める階調性能等に応じて適宜変更される。
【００４５】
そして、上記のようにして収集したＣＣＤ２の各読み取り値が、濃度別に予め定められている理想値と各色毎に比較される（Ｓ４）。これは、複数段階のグレー濃度を読み取った場合における各理想値と、ＣＣＤ２に入力する光量を変化させることにより擬似的に生成した、複数段階の各グレー濃度読み取り時に対応するＣＣＤ２からの各出力値とを比較するものである。
【００４６】
例えば、図５に示すような、最も明るい白部からの理想値と最も暗い黒部の理想値とを直線で結んだ理想特性に対する、ＣＣＤ２の白基準に対する読み取り値と、ＣＣＤ２に入力する光量を変化させて得た各段階における読み取り値（グレー濃度が異なる複数のグレー基準板を読み取った場合と同様の読み取り値）のずれ（差）の総和を算出して評価値とする。
【００４７】
さらに、サンプルクロックを次のポイントに変更して（Ｓ５）、同様の読み取り及び評価を行う（Ｓ１乃至Ｓ４）。全てのサンプリングポイントにおいてサンプルクロックの評価が終了すると（Ｓ６でＮＯ）、上記評価値が最も理想値に近いサンプルポイントを選定し（Ｓ７）、このタイミングポイントで読み取り値がサンプリングされるように、サンプルクロック信号の位相が調整される（Ｓ８）。
【００４８】
以上の処理を行うことによって、複数の基準濃度パターンを有する高価なグレー基準板を用いずに、一定濃度からなる簡易かつ安価なグレー基準板を用いてＣＣＤ２で反射光を受光しても、複数の基準濃度パターンを有する高価なグレー基準板を光学的に読み取った場合に相当するＣＣＤ２からの出力電気信号が得られるため、一定濃度からなる簡易かつ安価なグレー基準板を用いながらも、複数の基準濃度パターンを有する高価なグレー基準板を用いて階調調整を行った場合と同等の正確な階調調整を行うことができる。
【００４９】
なお、本発明は上記実施の形態の構成に限られず種々の変形が可能である。例えば、上記実施の形態では、本発明に係る画像読取装置１の構成を図１に示し、位相調整処理時におけるＣＣＤ２の読み取り値と理想値との評価方法を図５を用いて説明したものとしているが、画像読取装置１の構成及びＣＣＤ２の読み取り値と理想値との評価方法は、上記実施形態に示したものに限定されるものではない。
【００５０】
また、上記実施形態で示したサンプリングポイント設定処理では、グレー基準板からの反射光がＣＣＤ２で蓄積する時間を変更することによって、グレー基準板からの反射光がＣＣＤ２で受光される量を変更する場合を説明しているが、モータ制御部１０２による遮光板１１又はリフレクタの位置制御、照明光量制御部１０３による原稿照射ランプ１４の照明光量制御によって、グレー基準板からの反射光がＣＣＤ２で受光される量を変更させて、擬似的に複数濃度からなるグレー基準板を各濃度毎に読み取った場合と同様の読み取り値を得るようにしてもよい。
【図面の簡単な説明】
【００５１】
【図１】本発明の実施の形態を示す画像読み取り装置のブロック図である。
【図２】階調性が最適となるようにサンプリングポイントを設定する処理を示すフローチャートである。
【図３】図２のサンプリングポイント設定処理に用いるグレー基準板を示す図である。
【図４】グレースケール読み取り時におけるＣＣＤからの１画素の出力の経時変化を示した図である。
【図５】グレースケール反射率とＣＣＤの出力との関係について理想値と実際の読み取り特性とを比較した図である。
【符号の説明】
【００５２】
１      画像読取装置
２      ＣＣＤ（イメージセンサ）
３      ＡＦＥ回路（出力信号処理回路）
３１    サンプルホールド回路（出力信号処理回路）
３２    合成回路（出力信号処理回路）
３３    増幅回路（出力信号処理回路）
４      Ａ／Ｄ変換回路（出力信号処理回路）
５      シェーディング補正回路（出力信号処理回路）
６      画像処理回路
７      タイミング発生回路（タイミング信号発生回路）
８      位相調整回路（タイミング信号位相調整手段）
１０    制御部（入光量制御手段）
１０１  撮像制御部（入光量制御手段）
１０２  モータ制御部（入光量制御手段）
１０３  照明光量制御部（入光量制御手段）
１０４  システムコントローラ（入光量制御手段）
１０５  理想値記憶部（理想値記憶手段）
１１    遮光板
１２    モータ
１３    集光レンズ
１４    原稿照射ランプ
１５    インバータ回路
１６    Ｄ／Ａ変換回路
【図１】
2005094165.tif 000003
【図２】
2005094165.tif 000004
【図３】
2005094165.tif 000005
【図４】
2005094165.tif 000006
【図５】
2005094165.tif 000007